【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
複数種類の図柄がリール図柄として表示され、上から下に向けて可変表示が可能な複数のメインリールと、複数種類の図柄が表示図柄として画像表示される画像表示手段と、開始操作手段とを備え、プレイヤーが前記開始操作手段を操作すると、前記複数のメインリールが回転し、前記画像表示手段に表示される前記表示図柄が可変表示され、前記複数のメインリールの停止状態における前記リール図柄の表示態様であるリール表示態様が所定のリール入賞態様である場合に入賞し、前記リール入賞態様に応じた数量の遊技媒体を払い出し、入賞時において前記画像表示手段の可変表示が最終的に停止した時点の前記表示図柄の表示態様である画像表示態様が所定の画像入賞態様となるスロットマシンであって、
前記画像表示手段は、前記複数のメインリールのそれぞれに対応した複数のサブリールを有し、
前記複数のメインリールと前記複数のサブリールそれぞれに対応して共通に設けられ、プレイヤーの停止操作に応じてそれぞれの停止指示信号を出力する複数の停止操作手段と、
前記複数のメインリールを制御する第１制御手段と、
前記複数のサブリールを制御する第２制御手段と、
前記複数のメインリールと同一の回転方向である正転と、前記正転と逆の回転方向である逆転とを含む複数の回転方向のいずれか、又は前記複数のサブリールが停止している状態から定速で回転するまでの速度変化を定めた複数の始動パターンのいずれかを選択し、可変態様を決定する可変態様決定手段とを有し、
前記第１制御手段に、入賞となるか非入賞となるかを示す事前入賞情報を決定する事前決定手段を備え、
前記第１制御手段は、前記事前入賞情報及びプレイヤーが停止操作した停止操作手段に従って所定の停止処理を行って前記リール表示態様を制御すると共に、前記事前入賞情報を前記第２制御手段に供給し、
前記第２制御手段は、前記可変態様決定手段で決定された可変態様に基づいて前記複数のサブリールを回転させた後、前記複数のサブリールを定速で回転している状態から停止するまでを所定の停止パターンを選択し、前記事前入賞情報及びプレイヤーが停止操作した停止操作手段を参照して、前記事前入賞情報が入賞を示す場合に、前記画像表示態様が前記リール入賞態様となるように前記複数のサブリールを制御し、前記事前入賞情報が非入賞を示す場合に、前記画像表示態様が前記リール入賞態様とならないように前記複数のサブリールを制御する
ことを特徴とするスロットマシン。
【請求項２】
前記所定のリール入賞態様は複数の態様を含み、前記所定の画像入賞態様は複数の態様を含み、
前記リール入賞態様と前記画像入賞態様とを対応付ける所定の規則を記憶した記憶手段を備え、
前記事前入賞情報は、入賞時の前記リール入賞態様を指定するものであり、
前記第２制御手段は、前記所定の規則に従って、前記事前入賞情報が入賞を示す場合には、前記画像表示態様が前記事前入賞情報の示す前記リール入賞態様となるように前記複数のサブリールを制御し、前記事前入賞情報が非入賞を示す場合には、前記画像表示態様が前記事前入賞情報の示す前記リール入賞態様とならないように前記複数のサブリールを制御する
ことを特徴とする請求項１に記載のスロットマシン。
【請求項３】
複数種類の図柄がリール図柄として表示され、上から下に向けて可変表示が可能な複数のメインリールと、複数種類の図柄が表示図柄として画像表示される画像表示手段と、開始操作手段とを備え、プレイヤーが前記開始操作手段を操作すると、前記複数のメインリールが回転し、前記画像表示手段に表示される前記表示図柄が可変表示され、前記複数のメインリールの停止状態における前記リール図柄の表示態様であるリール表示態様が予め定められた複数のリール入賞態様のいずれかに該当する場合に入賞し、入賞時の前記リール入賞態様に応じた数量の遊技媒体を払い出し、前記画像表示手段の可変表示が最終的に停止した時点の前記表示図柄の表示態様である画像表示態様が入賞時には予め定められた複数の画像入賞態様のいずれかとなり、前記リール入賞態様と前記画像入賞態様とを対応付ける所定の規則を記憶したスロットマシンであって、
前記画像表示手段は、前記複数のメインリールのそれぞれに対応した複数のサブリールを有し、
前記複数のメインリールと前記複数のサブリールそれぞれに対応して共通に設けられ、プレイヤーの停止操作に応じてそれぞれの停止指示信号を出力する複数の停止操作手段と、
前記複数のメインリールを制御する第１制御手段と、
前記複数のサブリールを制御する第２制御手段と、
前記複数のメインリールと同一の回転方向である正転と、前記正転と逆の回転方向である逆転とを含む複数の回転方向のいずれか、又は前記複数のサブリールが停止している状態から定速で回転するまでの速度変化を定めた複数の始動パターンのいずれかを選択し、可変態様を決定する可変態様決定手段とを有し、
前記第１制御手段に、入賞時における前記リール入賞態様を事前に決定して決定結果を示す事前決定情報を生成する事前決定手段を備え、
前記第１制御手段は、前記事前決定情報及びプレイヤーが停止操作した停止操作手段に従って所定の引き込み範囲内で前記リール表示態様が、前記事前決定情報の示す前記リール入賞態様と一致するように前記複数のメインリールを制御すると共に、前記事前決定情報を前記第２制御手段に供給し、
前記第２制御手段は、前記可変態様決定手段で決定された可変態様に基づいて前記複数のサブリールを回転させた後、前記複数のサブリールを定速で回転している状態から停止するまでを所定の停止パターンを選択し、前記所定の規則に従って、前記事前決定情報の示す前記リール入賞態様と対応する前記画像入賞態様を特定し、前記画像表示態様が、特定した前記画像入賞態様となるように前記複数のサブリールを制御する
ことを特徴とするスロットマシン。
【請求項４】
複数種類の図柄がリール図柄として表示され、上から下に向けて可変表示が可能な複数のメインリールと、複数種類の図柄が表示図柄として画像表示される画像表示手段と、開始操作手段とを備え、プレイヤーが前記開始操作手段を操作すると、前記複数のメインリールが回転し、前記画像表示手段に表示される前記表示図柄が可変表示され、前記複数のメインリールの停止状態における前記リール図柄の表示態様であるリール表示態様が予め定められた複数のリール入賞態様のいずれかに該当する場合に入賞し、入賞時の前記リール入賞態様に応じた数量の遊技媒体を払い出し、前記画像表示手段の可変表示が最終的に停止した時点の前記表示図柄の表示態様である画像表示態様が入賞時には予め定められた複数の画像入賞態様のいずれかとなり、前記リール入賞態様と前記画像入賞態様とを対応付ける所定の規則を記憶したスロットマシンであって、
前記画像表示手段は、前記複数のメインリールのそれぞれに対応した複数のサブリールを有し、
前記複数のメインリールと前記複数のサブリールそれぞれに対応して共通に設けられ、プレイヤーの停止操作に応じてそれぞれの停止指示信号を出力する複数の停止操作手段と、
前記複数のメインリールを制御する第１制御手段と、
前記複数のサブリールを制御する第２制御手段と、
前記複数のメインリールと同一の回転方向である正転と、前記正転と逆の回転方向である逆転とを含む複数の回転方向のいずれか、又は前記複数のサブリールが停止している状態から定速で回転するまでの速度変化を定めた複数の始動パターンのいずれかを選択し、可変態様を決定する可変態様決定手段とを有し、
前記第１制御手段は、入賞が確定した後に前記リール入賞態様を示す入賞情報を生成する入賞情報生成手段を備え、前記入賞情報を第２制御手段に供給し、
前記第２制御手段は、前記可変態様決定手段で決定された可変態様に基づいて前記複数のサブリールを回転させた後、前記複数のサブリールを定速で回転している状態から停止するまでを所定の停止パターンを選択し、前記所定の規則に従って、前記入賞情報の示す前記リール入賞態様と対応する前記画像入賞態様を特定し、前記画像表示態様が特定した前記画像入賞態様となるように前記複数のサブリールを制御する
ことを特徴とするスロットマシン。
【請求項５】
前記第２制御手段は、
前記第１制御手段から前記入賞情報が供給される前に、前記画像表示態様を仮に決定して決定結果を示す仮決定情報を生成する仮決定手段を備え、
前記所定の規則に従って、前記入賞情報の示す前記リール入賞態様と対応する前記画像入賞態様を特定する特定手段と、
特定した前記画像入賞態様と前記仮決定情報の示す前記画像表示態様とを比較する比較手段とを備え、
前記仮決定情報の示す前記画像表示態様となるように前記画像表示手段の可変表示を停止させる停止処理を実行し、前記画像表示手段の可変表示が停止した後に前記比較手段の比較結果が不一致となる結果が得られた場合には可変表示を再開させ前記画像表示態様が前記特定手段によって特定された前記画像入賞態様となるように前記複数のサブリールを制御する
ことを特徴とする請求項４に記載のスロットマシン。
【請求項６】
複数種類の図柄がリール図柄として表示され、上から下に向けて可変表示が可能な複数のメインリールと、複数種類の図柄が表示図柄として画像表示される画像表示手段と、開始操作手段とを備え、プレイヤーが前記開始操作手段を操作すると、前記複数のメインリールが回転し、前記画像表示手段に表示される前記表示図柄が可変表示され、前記複数のメインリールの停止状態における前記リール図柄の表示態様であるリール表示態様が予め定められた複数のリール入賞態様のいずれかに該当する場合に入賞し、入賞時の前記リール入賞態様に応じた数量の遊技媒体を払い出し、前記画像表示手段の可変表示が最終的に停止した時点の前記表示図柄の表示態様である画像表示態様が入賞時には予め定められた複数の画像入賞態様のいずれかとなり、前記リール入賞態様と前記画像入賞態様とを対応付ける所定の規則を記憶したスロットマシンであって、
前記画像表示手段は、前記複数のメインリールのそれぞれに対応した複数のサブリールを有し、
前記複数のメインリールと前記複数のサブリールそれぞれに対応して共通に設けられ、プレイヤーの停止操作に応じてそれぞれの停止指示信号を出力する複数の停止操作手段と、
前記複数のメインリールを制御する第１制御手段と、
前記複数のサブリールを制御する第２制御手段と、
前記複数のメインリールと同一の回転方向である正転と、前記正転と逆の回転方向である逆転とを含む複数の回転方向のいずれか、又は前記複数のサブリールが停止している状態から定速で回転するまでの速度変化を定めた複数の始動パターンのいずれかを選択し、可変態様を決定する可変態様決定手段とを備え、
前記第１制御手段は、
複数のリール入賞態様のうちどの態様で入賞する可能性があるか、又は、入賞する可能性が無いかを示す入賞可能性情報を決定する決定手段と、
前記入賞可能性情報が入賞の可能性を示す場合において、前記停止指示信号が所定のタイミングで発生した場合に前記入賞可能性情報の示すリール入賞態様となるように前記複数のメインリールを制御し、前記停止指示信号が所定のタイミングで発生しなかった場合には全ての前記リール入賞態様とならないように前記複数のメインリールを制御するリール制御手段と、
入賞又は非入賞を示す入賞情報を生成する入賞情報生成手段と、
前記入賞可能性情報及び前記入賞情報を第２制御手段に供給する供給手段とを備え、
前記第２制御手段は、前記可変態様決定手段で決定された可変態様に基づいて前記複数のサブリールを回転させた後、前記複数のサブリールを定速で回転している状態から停止するまでを所定の停止パターンを選択し、前記入賞可能性情報が入賞の可能性を示す場合に、前記所定の規則に従って入賞の可能性がある前記リール入賞態様に対応する前記画像入賞態様を特定する特定手段と、
特定した前記画像表示態様となるように前記画像表示手段の可変表示を停止させる停止処理を実行し、前記画像表示手段の可変表示が停止した後に非入賞を示す前記入賞情報が得られた場合には可変表示を再開させ前記画像表示態様が全ての前記画像入賞態様とならないように前記複数のサブリールを制御する画像制御手段とを備える
ことを特徴とするスロットマシン。
【請求項７】
前記第２制御手段は、前記画像表示手段の可変表示が停止する前に非入賞を示す前記入賞情報が得られた場合には特定した前記画像表示態様を変更して前記画像表示態様が全ての前記画像入賞態様とならないように前記複数のサブリールを制御することを特徴とする請求項６に記載のスロットマシン。
【手続補正２】
【補正対象書類名】明細書
【補正対象項目名】００１０
【補正方法】変更
【補正の内容】
【００１０】
本発明にかかるスロットマシンは、複数種類の図柄がリール図柄として表示され、上から下に向けて可変表示が可能な複数のメインリール（Ｒａ１、Ｒａ２、Ｒａ３）と、複数種類の図柄が表示図柄として画像表示される画像表示手段（９１）と、開始操作手段（６）とを備え、プレイヤーが前記開始操作手段（６）を操作すると、前記複数のメインリール（Ｒａ１、Ｒａ２、Ｒａ３）が回転し、前記画像表示手段（９１）に表示される前記表示図柄が可変表示され、前記複数のメインリール（Ｒａ１、Ｒａ２、Ｒａ３）の停止状態における前記リール図柄の表示態様であるリール表示態様が所定のリール入賞態様である場合に入賞し、前記リール入賞態様に応じた数量の遊技媒体を払い出し、入賞時において前記画像表示手段（９１）の可変表示が最終的に停止した時点の前記表示図柄の表示態様である画像表示態様が所定の画像入賞態様となるスロットマシン（１）であって、前記画像表示手段は、前記複数のメインリール（Ｒａ１、Ｒａ２、Ｒａ３）のそれぞれに対応した複数のサブリール（Ｒｂ１、Ｒｂ２、Ｒｂ３）を有し、前記複数のメインリールと前記複数のサブリールそれぞれに対応して共通に設けられ、プレイヤーの停止操作に応じてそれぞれの停止指示信号を出力する複数の停止操作手段と、前記複数のメインリール（Ｒａ１、Ｒａ２、Ｒａ３）を制御する第１制御手段（３１）と、前記複数のサブリールを制御する第２制御手段（５５）と、前記複数のメインリールと同一の回転方向である正転と、前記正転と逆の回転方向である逆転とを含む複数の回転方向のいずれか、又は前記複数のサブリールが停止している状態から定速で回転するまでの速度変化を定めた複数の始動パターンのいずれかを選択し、可変態様を決定する可変態様決定手段（Ｓ１００、Ｓ１０１）とを有し、前記第１制御手段に、入賞となるか非入賞となるかを示す事前入賞情報を決定する事前決定手段を備え、前記第１制御手段は、前記事前入賞情報及びプレイヤーが停止操作した停止操作手段に従って所定の停止処理を行って前記リール表示態様を制御すると共に、前記事前入賞情報を前記第２制御手段に供給し、前記第２制御手段は、前記可変態様決定手段で決定された可変態様に基づいて前記複数のサブリールを回転させた後、前記複数のサブリールを定速で回転している状態から停止するまでを所定の停止パターンを選択し、前記事前入賞情報及びプレイヤーが停止操作した停止操作手段を参照して、前記事前入賞情報が入賞を示す場合に、前記画像表示態様が前記リール入賞態様となるように前記複数のサブリールを制御し、前記事前入賞情報が非入賞を示す場合に、前記画像表示態様が前記リール入賞態様とならないように前記複数のサブリールを制御することが好ましい。
【手続補正３】
【補正対象書類名】明細書
【補正対象項目名】００１２
【補正方法】変更
【補正の内容】
【００１２】
例えば、第１制御手段（３１）が事前入賞決定手段を備える場合には、図３３（Ａ）に示すものとなり、第１制御手段（３１）は前記事前入賞情報に従って前記リール表示態様を制御すると共に、前記事前入賞情報を第２制御手段（５５）に供給し、第２制御手段（５５）は、前記所定の規則に従って前記画像表示態様と前記事前入賞情報が示す前記リール表示態様とが対応するように前記画像表示手段（９１）を制御する。一方、第２制御手段（５５）が事前入賞決定手段を備える場合には、図３３（Ｂ）に示すものとなり、第２制御手段（５５）は前記事前入賞情報に従って前記画像表示態様を制御すると共に、前記事前入賞情報を第１制御手段（３１）に供給し、第１制御手段（３１）は、前記所定の規則に従って前記リール表示態様と前記事前入賞情報が示す前記画像表示態様とが対応するように前記メインリール（Ｒａ１、Ｒａ２、Ｒａ３）を制御する。ここで、事前入賞情報は、例えば、プレイヤーがメインリールの回転停止を入力する停止操作手段を操作する前に生成されるものである。スロットマシンは、内部抽選で当選し、かつ、プレイヤーのリールストップボタンの操作が所定のタイミングで行われた場合に入賞となるが、役を構成する図柄の配置がリール図柄の引き込み範囲にあるとき、内部抽選に当選すれば、必ず入賞することになる。そのような場合に、内部抽選の結果を示す内部抽選情報は事前入賞情報に該当する。また、上述したスロットマシンは、前記所定のリール入賞態様は複数の態様を含み、前記所定の画像入賞態様は複数の態様を含み、前記リール入賞態様と前記画像入賞態様とを対応付ける所定の規則を記憶した記憶手段を備え、前記事前入賞情報は、入賞時の前記リール入賞態様を指定するものであり、前記第２制御手段は、前記所定の規則に従って、前記事前入賞情報が入賞を示す場合には、前記画像表示態様が前記事前入賞情報の示す前記リール入賞態様となるように前記複数のサブリールを制御し、前記事前入賞情報が非入賞を示す場合には、前記画像表示態様が前記事前入賞情報の示す前記リール入賞態様とならないように前記複数のサブリールを制御することが好ましい。
【手続補正４】
【補正対象書類名】明細書
【補正対象項目名】００１３
【補正方法】変更
【補正の内容】
【００１３】
また、本発明にかかる他のスロットマシンは、複数種類の図柄がリール図柄として表示され、上から下に向けて可変表示が可能な複数のメインリール（Ｒａ１、Ｒａ２、Ｒａ３）と、複数種類の図柄が表示図柄として画像表示される画像表示手段（９１）と、開始操作手段（６）とを備え、プレイヤーが前記開始操作手段（６）を操作すると、前記複数のメインリール（Ｒａ１、Ｒａ２、Ｒａ３）が回転し、前記画像表示手段（９１）に表示される前記表示図柄が可変表示され、前記複数のメインリール（Ｒａ１、Ｒａ２、Ｒａ３）の停止状態における前記リール図柄の表示態様であるリール表示態様が予め定められた複数のリール入賞態様のいずれかに該当する場合に入賞し、入賞時の前記リール入賞態様に応じた数量の遊技媒体を払い出し、前記画像表示手段（９１）の可変表示が最終的に停止した時点の前記表示図柄の表示態様である画像表示態様が入賞時には予め定められた複数の画像入賞態様のいずれかとなり、前記リール入賞態様と前記画像入賞態様とを対応付ける所定の規則を記憶したスロットマシン（１）であって、前記画像表示手段は、前記複数のメインリール（Ｒａ１、Ｒａ２、Ｒａ３）のそれぞれに対応した複数のサブリール（Ｒｂ１、Ｒｂ２、Ｒｂ３）を有し、前記複数のメインリールと前記複数のサブリールそれぞれに対応して共通に設けられ、プレイヤーの停止操作に応じてそれぞれの停止指示信号を出力する複数の停止操作手段と、前記複数のメインリール（Ｒａ１、Ｒａ２、Ｒａ３）を制御する第１制御手段（３１）と、前記複数のサブリールを制御する第２制御手段（５５）と、前記複数のメインリールと同一の回転方向である正転と、前記正転と逆の回転方向である逆転とを含む複数の回転方向のいずれか、又は前記複数のサブリールが停止している状態から定速で回転するまでの速度変化を定めた複数の始動パターンのいずれかを選択し、可変態様を決定する可変態様決定手段（Ｓ１００、Ｓ１０１）とを有し、前記第１制御手段（３１）に、入賞時における前記リール入賞態様を事前に決定して決定結果を示す事前決定情報を生成する事前決定手段を備え、前記第１制御手段は、前記事前決定情報及びプレイヤーが停止操作した停止操作手段に従って所定の引き込み範囲内で前記リール表示態様が、前記事前決定情報の示す前記リール入賞態様と一致するように前記複数のメインリールを制御すると共に、前記事前決定情報を前記第２制御手段に供給し、前記第２制御手段は、前記可変態様決定手段で決定された可変態様に基づいて前記複数のサブリールを回転させた後、前記複数のサブリールを定速で回転している状態から停止するまでを所定の停止パターンを選択し、前記所定の規則に従って、前記事前決定情報の示す前記リール入賞態様と対応する前記画像入賞態様を特定し、前記画像表示態様が、特定した前記画像入賞態様となるように前記複数のサブリールを制御する。
【手続補正５】
【補正対象書類名】明細書
【補正対象項目名】００１６
【補正方法】変更
【補正の内容】
【００１６】
次に、本発明にかかわる他のスロットマシンは、複数種類の図柄がリール図柄として表示され、上から下に向けて可変表示が可能な複数のメインリール（Ｒａ１、Ｒａ２、Ｒａ３）と、複数種類の図柄が表示図柄として画像表示される画像表示手段（９１）と、開始操作手段（６）とを備え、プレイヤーが前記開始操作手段（６）を操作すると、前記複数のメインリール（Ｒａ１、Ｒａ２、Ｒａ３）が回転し、前記画像表示手段（９１）に表示される前記表示図柄が可変表示され、前記複数のメインリール（Ｒａ１、Ｒａ２、Ｒａ３）の停止状態における前記リール図柄の表示態様であるリール表示態様が予め定められた複数のリール入賞態様のいずれかに該当する場合に入賞し、入賞時の前記リール入賞態様に応じた数量の遊技媒体を払い出し、前記画像表示手段（９１）の可変表示が最終的に停止した時点の前記表示図柄の表示態様である画像表示態様が入賞時に予め定められた複数の画像入賞態様のいずれかとなり、前記リール入賞態様と前記画像入賞態様とを対応付ける所定の規則を記憶したスロットマシン（１）であって、前記画像表示手段は、前記複数のメインリール（Ｒａ１、Ｒａ２、Ｒａ３）のそれぞれに対応した複数のサブリール（Ｒｂ１、Ｒｂ２、Ｒｂ３）を有し、前記複数のメインリールと前記複数のサブリールそれぞれに対応して共通に設けられ、プレイヤーの停止操作に応じてそれぞれの停止指示信号を出力する複数の停止操作手段と、前記複数のメインリール（Ｒａ１、Ｒａ２、Ｒａ３）を制御する第１制御手段（３１）と、前記複数のサブリールを制御する第２制御手段（５５）と、前記複数のメインリールと同一の回転方向である正転と、前記正転と逆の回転方向である逆転とを含む複数の回転方向のいずれか、又は前記複数のサブリールが停止している状態から定速で回転するまでの速度変化を定めた複数の始動パターンのいずれかを選択し、可変態様を決定する可変態様決定手段（Ｓ１００、Ｓ１０１）とを有し、前記第１制御手段（３１）は、入賞が確定した後に前記リール入賞態様を示す入賞情報を生成する入賞情報生成手段を備え、前記入賞情報を第２制御手段に供給し、前記第２制御手段は、前記可変態様決定手段で決定された可変態様に基づいて前記複数のサブリールを回転させた後、前記複数のサブリールを定速で回転している状態から停止するまでを所定の停止パターンを選択し、前記所定の規則に従って、前記入賞情報の示す前記リール入賞態様と対応する前記画像入賞態様を特定し、前記画像表示態様が特定した前記画像入賞態様となるように前記複数のサブリールを制御することを特徴とする。この発明によれば、一方の制御手段は、入賞が確定した後に入賞情報を他方の制御手段に供給するので、画像表示手段の画像入賞態様はメインリールのリール入賞態様と対応するものとなる。この結果、画像入賞態様とリール入賞態様との間に統一性を持たせることができる。
【手続補正６】
【補正対象書類名】明細書
【補正対象項目名】００１７
【補正方法】変更
【補正の内容】
【００１７】
より具体的には、前記第２制御手段（５５）は、前記第１制御手段（３１）から前記入賞情報が供給される前に、前記画像表示態様を仮に決定して決定結果を示す仮決定情報を生成する仮決定手段を備え、前記所定の規則に従って、前記入賞情報の示す前記リール入賞態様と対応する前記画像入賞態様を特定する特定手段と、特定した前記画像入賞態様と前記仮決定情報の示す前記画像表示態様とを比較する比較手段とを備え、
前記仮決定情報の示す前記画像表示態様となるように前記画像表示手段の可変表示を停止させる停止処理を実行し、前記画像表示手段の可変表示が停止した後に前記比較手段の比較結果が不一致となる結果が得られた場合には可変表示を再開させ前記画像表示態様が前記特定手段によって特定された前記画像入賞態様となるように前記複数のサブリールを制御することが好ましい。この発明によれば、第２制御手段は、第１制御手段と独立して可変表示を制御し、メインリールの入賞情報が得られた時点で、メインリールの表示態様と画像表示手段の表示態様とが一致するように制御することができる。なお、前記第２制御手段は、前記画像表示手段（９１）の可変表示が停止する前に前記比較手段の比較結果が不一致となる結果が得られた場合には前記特定手段によって特定された前記画像表示態様となるように前記画像表示手段（９１）を制御することが好ましい。
【手続補正７】
【補正対象書類名】明細書
【補正対象項目名】００１９
【補正方法】変更
【補正の内容】
【００１９】
次に、本発明にかかわるスロットマシンは、複数種類の図柄がリール図柄として表示され、上から下に向けて可変表示が可能な複数のメインリール（Ｒａ１、Ｒａ２、Ｒａ３）と、複数種類の図柄が表示図柄として画像表示される画像表示手段（９１）と、開始操作手段（６）とを備え、プレイヤーが前記開始操作手段（６）を操作すると、前記複数のメインリール（Ｒａ１、Ｒａ２、Ｒａ３）が回転し、前記画像表示手段（９１）に表示される前記表示図柄が可変表示され、前記複数のメインリール（Ｒａ１、Ｒａ２、Ｒａ３）の停止状態における前記リール図柄の表示態様であるリール表示態様が予め定められた複数のリール入賞態様のいずれかに該当する場合に入賞し、入賞時の前記リール入賞態様に応じた数量の遊技媒体を払い出し、前記画像表示手段（９１）の可変表示が最終的に停止した時点の前記表示図柄の表示態様である画像表示態様が入賞時に予め定められた複数の画像入賞態様のいずれかとなり、前記リール入賞態様と前記画像入賞態様とを対応付ける所定の規則を記憶したスロットマシン（１）であって、前記画像表示手段は、前記複数のメインリール（Ｒａ１、Ｒａ２、Ｒａ３）のそれぞれに対応した複数のサブリール（Ｒｂ１、Ｒｂ２、Ｒｂ３）を有し、前記複数のメインリールと前記複数のサブリールそれぞれに対応して共通に設けられ、プレイヤーの停止操作に応じてそれぞれの停止指示信号を出力する複数の停止操作手段と、前記複数のメインリール（Ｒａ１、Ｒａ２、Ｒａ３）を制御する第１制御手段（３１）と、前記複数のサブリールを制御する第２制御手段（５５）と、前記複数のメインリールと同一の回転方向である正転と、前記正転と逆の回転方向である逆転とを含む複数の回転方向のいずれか、又は前記複数のサブリールが停止している状態から定速で回転するまでの速度変化を定めた複数の始動パターンのいずれかを選択し、可変態様を決定する可変態様決定手段（Ｓ１００、Ｓ１０１）とを備え、前記第１制御手段（３１）は、複数のリール入賞態様のうちどの態様で入賞する可能性があるか、又は、入賞する可能性が無いかを示す入賞可能性情報を決定する決定手段と、前記入賞可能性情報が入賞の可能性を示す場合において、前記停止指示信号が所定のタイミングで発生した場合に前記入賞可能性情報の示すリール入賞態様となるように前記複数のメインリール（Ｒａ１、Ｒａ２、Ｒａ３）を制御し、前記停止指示信号が所定のタイミングで発生しなかった場合には全ての前記リール入賞態様とならないように前記複数のメインリール（Ｒａ１、Ｒａ２、Ｒａ３）を制御するリール制御手段と、入賞又は非入賞を示す入賞情報を生成する入賞情報生成手段と、前記入賞可能性情報及び前記入賞情報を第２制御手段（５５）に供給する供給手段とを備え、前記第２制御手段（５５）は、前記可変態様決定手段で決定された可変態様に基づいて前記複数のサブリールを回転させた後、前記複数のサブリールを定速で回転している状態から停止するまでを所定の停止パターンを選択し、前記入賞可能性情報が入賞の可能性を示す場合に、前記所定の規則に従って入賞の可能性がある前記リール入賞態様に対応する前記画像入賞態様を特定する特定手段と、特定した前記画像表示態様となるように前記画像表示手段（９１）の可変表示を停止させる停止処理を実行し、前記画像表示手段（９１）の可変表示が停止した後に非入賞を示す前記入賞情報が得られた場合には可変表示を再開させ前記画像表示態様が全ての前記画像入賞態様とならないように前記複数のサブリールを制御する画像制御手段とを備えることが好ましい。ここで、入賞可能性情報には、例えば、内部抽選の結果を示す内部抽選情報が該当する。入賞可能性情報は、入賞の可能性の有無を示す情報であるので、制御の無駄を無くし、処理負荷を軽減することができる。即ち、まず、入賞の可能性がある場合には、そのような入賞態様となるように停止処理を実行する。ここで、入賞となれば、メインリールの表示と画像表示手段の表示とを一致させることができる。一方、非入賞となれば、画像表示手段を再度、可変表示させるので、表示態様を一致させることができる。なお、このスロットマシンにおいて、前記第２制御手段は、前記画像表示手段（９１）の可変表示が停止する前に非入賞を示す前記入賞情報が得られた場合には特定した前記画像表示態様を変更して前記画像表示態様が全ての前記画像入賞態様とならないように前記複数のサブリールを制御することが好ましい。さらに、前記画像制御手段は、所定の条件を充足するか否かを判定し、前記所定の条件を充足する場合には、非入賞を示す前記入賞情報が得られても特定した前記画像表示態様を目標として前記画像表示手段（９１）の可変表示を停止させる停止処理を実行することが好ましい。この場合には、所定の条件を充足する場合に、整合性が崩れるので、ゲームに起伏を持たせることができる。